(57)【要約】【課題】再生機器の電源投入時に、ネットワーク上のストリーム供給装置の状態を収集することで、ストリーム供給装置の選択を容易にする。【解決手段】  ネットワークに接続され、自機に関する機器情報を前記ネットワークを介して送出可能な１つ以上のストリーム供給装置から前記機器情報を収集する機器情報収集手段と、前記機器情報収集手段が収集した機器情報に基づいて、前記１つ以上のストリーム供給装置のうちの１つを選択してストリームの供給を受けるコンテンツ取り込み手段とを具備したことを特徴とする。【選択図】図１
2009124433.tif 000002
【特許請求の範囲】
【請求項１】
自機に関する機器情報を記憶する記憶部と、
コンテンツ再生装置からの状態収集コマンドに応答して、前記記憶部に記憶されている機器情報をネットワークを介して送出する送出手段と
を具備したことを特徴とするストリーム供給装置。
【請求項２】
ネットワークに接続され、自機に関する機器情報を前記ネットワークを介して送出可能な１つ以上のストリーム供給装置から前記機器情報を収集する機器情報収集手段と、
前記機器情報収集手段が収集した機器情報に基づいて、前記１つ以上のストリーム供給装置のうちの１つを選択してストリームの供給を受けるコンテンツ取り込み手段と
を具備したことを特徴とするコンテンツ再生装置。
【請求項３】
ネットワークに接続され、自機に関する機器情報を前記ネットワークを介して送出可能な１つ以上のストリーム供給装置から前記機器情報を収集する機器情報収集手段と、
前記機器情報収集手段が収集した機器情報に基づいて、前記１つ以上のストリーム供給装置についての状態を提示する提示手段と
を具備したことを特徴とするコンテンツ再生装置。
【請求項４】
ネットワークに接続され、自機に関する機器情報を前記ネットワークを介して送出可能な１つ以上のストリーム供給装置から前記機器情報を収集する機器情報収集手順と、
前記機器情報収集手順において収集した機器情報に基づいて、前記１つ以上のストリーム供給装置のうちの１つを選択してストリームの供給を受けるコンテンツ取り込み手順と
を具備したことを特徴とするコンテンツ再生方法。
【請求項５】
ネットワークに接続され、自機に関する機器情報を前記ネットワークを介して送出可能な１つ以上のストリーム供給装置から前記機器情報を収集する機器情報収集手順と、
前記機器情報収集手順において収集した機器情報に基づいて、前記１つ以上のストリーム供給装置についての状態を提示する提示手順と
を具備したことを特徴とするコンテンツ再生方法。
【発明の詳細な説明】
【技術分野】
【０００１】
本発明は、ネットワーク接続されたオーディオ・ビデオ機器に好適なストリーム供給装置、コンテンツ再生装置及びコンテンツ再生方法に関する。
【背景技術】
【０００２】
近年、デジタル家電機器の普及に伴い、一般家庭におけるホームネットワークが普及しつつある。種々の機器相互間で、デジタルデータの転送を可能にすることで、デジタルデータを統合して扱えるようになり、利便性を向上させることができる。例えば、ネットワーク上に、オーディオ機器やビデオ機器等を接続してデータを伝送させることも可能である。
【０００３】
多様化した放送サービスに伴い、各サービス毎のコンテンツを受信するために１台以上の受信機器がネットワーク上に設けられることもある。また、ネットワーク上に設けられた受信機器からのストリームが転送されて、再生及び表示を行う再生機器がネットワーク上に複数台設けられることもある。各再生機器は、受信機器及び受信チャンネルを指定することで、所望の受信機器によって受信した所望のチャンネルの番組を、再生して映出することが可能である。
【０００４】
例えば、特許文献１においては、ネットワークに接続された他の機器をコントロール可能な機器が、ネットワーク上において接続可能な機器の候補を判断し、接続機能な機器が１台だけ存在した場合には、自動的に所定のコネクションを張って、その機器の電源投入を行う装置が開示されている。
【０００５】
しかしながら、ネットワーク上に接続された複数の受信機器について、どのような放送形態の信号を受信可能であるか等のサービス内容については、再生機器側で判断することはできない。また、受信機器からのストリームが既に他の再生機器に供給されている場合等のように選局チャンネルの切換操作等が不能の場合でも、再生機器側で受信機器を利用可能か否かを判断することはできない。
【特許文献１】ＷＯ２００５／０１１２９４公報
【発明の開示】
【発明が解決しようとする課題】
【０００６】
このように、従来、ネットワークに接続された受信機器（ストリーム供給機器）及び再生機器を有するコンテンツ再生システムにおいては、再生機器は、ネットワークに接続されたストリーム供給機器の接続の有無を判断することはできるが、そのサービス内容及び利用可能か否かについては判断することができず、利便性に劣るという問題点があった。
【０００７】
本発明は、ストリーム供給機器と再生機器とで通信を行って情報を伝送することにより、再生機器が、ネットワークに接続されたストリーム供給機器についてそのサービス内容及び利用可能か否かを判断することができるストリーム供給装置、コンテンツ再生装置及びコンテンツ再生方法を提供することを目的とする。
【課題を解決するための手段】
【０００８】
本発明に係るストリーム供給装置は、自機に関する機器情報を記憶する記憶部と、コンテンツ再生装置からの状態収集コマンドに応答して、前記記憶部に記憶されている機器情報をネットワークを介して送出する送出手段とを具備したものであり、
本発明に係るコンテンツ再生装置は、ネットワークに接続され、自機に関する機器情報を前記ネットワークを介して送出可能な１つ以上のストリーム供給装置から前記機器情報を収集する機器情報収集手段と、前記機器情報収集手段が収集した機器情報に基づいて、前記１つ以上のストリーム供給装置のうちの１つを選択してストリームの供給を受けるコンテンツ取り込み手段とを具備したものであり、
本発明に係る他のコンテンツ再生装置は、ネットワークに接続され、自機に関する機器情報を前記ネットワークを介して送出可能な１つ以上のストリーム供給装置から前記機器情報を収集する機器情報収集手段と、前記機器情報収集手段が収集した機器情報に基づいて、前記１つ以上のストリーム供給装置についての状態を提示する提示手段とを具備したものである。
【発明の効果】
【０００９】
本発明によれば、ストリーム供給機器と再生機器とで通信を行って情報を伝送することにより、再生機器が、ネットワークに接続されたストリーム供給機器についてそのサービス内容及び利用可能か否かを判断することができるという効果を有する。
【発明を実施するための最良の形態】
【００１０】
以下、図面を参照して本発明の実施の形態について詳細に説明する。図１は本発明の一実施の形態に係るストリーム供給装置及びコンテンツ再生装置が組込まれたコンテンツ再生システムを示すブロック図である。
【００１１】
先ず、図３を参照して本実施の形態に係るコンテンツ再生システムの全体構成を説明する。ストリーム供給装置４６〜５０とコンテンツ再生装置５２とは、所定のネットワークに接続されている。図３の例では、ストリーム供給装置４６〜５０及びコンテンツ再生装置５２が、ＬＡＮ規格に対応したケーブル５３又は無線通信路５４及び中継装置５１を介して接続されている例を示している。
【００１２】
ストリーム供給装置４６はアンテナ４１を介して受信した地上及び衛星放送信号を受信する受信装置であり、ユーザ操作に基づくチャンネルを選局して、コンテンツのストリームを出力することができるようになっている。ストリーム供給装置４７はアンテナ４２を介して受信したＣＳ放送信号を受信する受信装置であり、ユーザ操作に基づくチャンネルを選局して、コンテンツのストリームを出力することができるようになっている。ストリーム供給装置４８はアンテナ４３を介して受信した地上及び衛星放送信号を受信するテレビジョン受像機であり、ユーザ操作に基づくチャンネルを選局して、コンテンツのストリームを出力すると共に、図示しない表示画面上に受信したコンテンツを映出することができるようになっている。ストリーム供給装置４９はアンテナ４４を介して受信した地上及び衛星放送信号を受信して記録するレコーダであり、ユーザ操作に基づくチャンネルを選局して、コンテンツのストリームを出力すると共に、図示しない記録部に受信したコンテンツを記録することができるようになっている。ストリーム供給装置５０はアンテナ４５を介して受信した地上放送信号を受信して記録する受信装置であり、ユーザ操作に基づくチャンネルを選局して、コンテンツのストリームを出力することができるようになっている。
【００１３】
ストリーム供給装置４７〜４９は、受信して得たコンテンツのストリームをケーブル５３を介してネットワーク上に送出可能であり、ストリーム供給装置４６，５０は、受信して得たコンテンツのストリームを無線通信路５４を介してネットワーク上に送出可能である。中継装置５１は、ネットワーク上に流れるデータを有線及び無線によって中継可能である。
【００１４】
コンテンツ再生装置５２は、ネットワークに接続されたストリーム供給装置４６〜５０のうちコンテンツのストリームを取り込む機器を指定し、指定した機器からのコンテンツのストリームを再生するようになっている。コンテンツ再生装置５２は図示しない表示部に再生したコンテンツを映出させると共に、図示しないスピーカを介してコンテンツの音響を出力させる。
【００１５】
なお、図３の例では５台のストリーム供給装置及び１台のコンテンツ再生装置が接続されている例を示したが、ストリーム供給装置及びコンテンツ再生装置等の接続台数は特に制限されるものではない。また、中継装置５１には、複数の記録機器、各種のオーディオ、ビデオ機器等を接続することができる。例えば、チューナ機能を有するＳＴＢ（セットトップボックス）、録再ＤＶＤ装置等の記録装置や表示装置等も接続可能である。
【００１６】
図１は図３中のストリーム供給装置４６〜５０の具体的な構成を示すブロック図である。ストリーム供給装置４６〜５０は、アナログ放送信号を受信する装置であってもよく、デジタル放送信号を受信する装置であってもよい。なお、図１ではストリーム供給装置がデジタル放送信号を受信する装置であり、記録機能を有するものとして説明する。
【００１７】
図１のアンテナ５は図３のアンテナ４１〜４５に相当する。アンテナ５に誘起したデジタル放送信号は、チューナ６に供給される。チューナ６はユーザによって指定されたチャンネルを選局する。チューナ６からの信号は復調部７に与えられる。復調部７は、放送局において行われた変調処理に対する復調処理を行う。例えば、復調部７はＯＦＤＭ復調処理、ＰＳＫ復調処理等を行って、変調処理前のトランスポートストリーム（ＴＳ）に戻して出力する。
【００１８】
なお、図１の例では、チューナ６及び復調部７以外の回路部分は集積回路化されている。ＣＰＵ１５は、集積回路化された各部を制御すると共に、インタフェース（Ｉ／Ｆ）９を介して、チューナ６及び復調部７を制御するようになっている。
【００１９】
ＴＳＤＭＵＸ８は、入力されたトランスポートストリームをそのまま出力するか又は入力されたトランスポートストリームに複数のコンテンツが含まれている場合には、ユーザによって選択されたコンテンツを分離して出力する。集積回路化された回路部分においては、データはバス１３を介して転送される。ＣＰＵ１５は、ＴＳＤＭＵＸ８からのストリームをメモリ１０に記憶させると共に、メモリ１０から読み出してＬＡＮ制御部１４に出力する。ＬＡＮ制御部１４は、ネットワークを構成するケーブル５３と集積回路化された回路内の各部とのインターフェースを司る。ＬＡＮ制御部１４は、ＬＡＮ規格のインターフェースであり、通信プロトコルとして例えばＴＣＰ／ＩＰプロトコルを採用して通信を行う。ＬＡＮ制御部１４は、集積回路内のデータをネットワーク上に送出すると共に、ケーブル５３に流れる自機宛のデータを集積回路内に取り込む。ＬＡＮ制御部１４は、ケーブル５３を介して自機宛に転送されたコマンドをＣＰＵ１５に供給すると共に、ＣＰＵ１５からのデータをケーブル５３を介して宛先に転送する。また、ＬＡＮ制御部１４は、メモリ１０から読み出されたトランスポートストリームをケーブル５３を介して宛先に転送するようになっている。
【００２０】
また、記録部１６は、ＣＰＵ１５に制御されて、メモリ１０から読み出されたトランスポートストリームを図示しない記録媒体に記録することができるようになっている。また、記録部１６は、ＣＰＵ１５に制御されて、図示しない記録媒体に記録されたトランスポートストリームを再生して、ＬＡＮ制御部１４を介してネットワーク上に送出することができるようになっいる。
【００２１】
本実施の形態においては、機器情報メモリ１２が設けられている。機器情報メモリ１２は、自機に関する機器情報を保持する。図４は機器情報メモリ１２に格納されている情報の一例を示す説明図である。図４の例では、機器情報メモリ１２は、自機のＩＤ（機器ＩＤ）、自機の機器名称、ストリームを出力可能なサービスの内容及び利用可能フラグの情報を保持していることを示している。機器ＩＤは、図３のネットワーク上において自機を一意に特定可能なＩＤ情報である。機器名称は、機器の区別を容易にするための名称である。サービス内容は、受信してストリームを出力可能な放送信号や記録している映像信号等の種類を示しており、例えば、アナログ又はデジタルによる地上波放送、衛星放送、ＣＳ放送やケーブルテレビによる放送、インターネットによる放送、記録メディアからの再生信号等の信号の種類を示す。図４の例では、地上デジタル放送（地上Ｄ）、ＢＳデジタル放送（ＢＳＤ）及びＢＳアナログ放送（ＢＳＡ）のストリームを出力可能であることを示している。更に、サービス内容として、具体的なチャンネル番号まで記述するようにしてもよい。
【００２２】
利用可能フラグは、後述する外部からのストリーム転送要求に対して、ストリームの送出が可能か否かを示すフラグであり、“１”はストリームの送出が可能であることを示し、“０”はストリームの送出が不能であることを示す。例えば、ストリーム供給装置を構成するチューナが待機状態である場合には、利用可能フラグは“１”であり、チューナによって放送信号を受信中の場合には、利用可能フラグは“０”となる。また、ストリーム供給装置が２系統以上のチューナを有するテレビジョン受像機である場合には、当該テレビジョン受像機において所定チャンネルの番組を試聴中であっても、未使用のチューナを用いてストリームの出力が可能であり、この場合には利用フラグは“１”となる。
【００２３】
本実施の形態においては、ＣＰＵ１５は、後述する状態収集コマンドを受信すると、機器情報メモリ１２の情報を読み出して、読み出した機器情報を状態収集コマンドの発信元を宛先として、ＬＡＮ制御部１４を介してネットワーク上に送出するようになっている。なお、プログラムメモリ（Ｐメモリ）１１には、ＣＰＵ１５の処理を実現するためのプログラムが格納されている。
【００２４】
図２は図３中のコンテンツ再生装置５２の具体的な構成を示している。コンテンツ再生装置５２は、アナログ放送信号を再生する装置であってもよく、デジタル放送信号を再生する装置であってもよい。なお、図２ではコンテンツ再生装置５２がデジタル放送信号を再生する装置であるものとして説明する。
【００２５】
ＬＡＮ制御部２１は、ネットワークを構成する無線通信路５４と集積回路化された回路内の各部とのインターフェースを司る。ＬＡＮ制御部２１は、無線通信路５４を介して転送されたデータをバス２０を介してＣＰＵ２２に供給すると共に、ＣＰＵ２２からバス２０を介して転送されたコマンドを無線通信路５４を介して宛先に転送する。また、ＬＡＮ制御部２１は、無線通信路５４を介して転送されたトランスポートストリームをメモリ２６に転送して一旦記憶させるようになっている。
【００２６】
図１においてモニタ３１、アンプ３２及びスピーカ３３以外の回路部分は集積回路化されており、ＣＰＵ２２は集積回路化された各部を制御する。ＣＰＵ２２は、ネットワークに接続された各ストリーム供給装置に対して、各種コマンドを発生すると共に、ＬＡＮ制御部２１からのトランスポートストリームをメモリ２６に格納させ、メモリ２６から読み出したトランスポートストリームをＴＳＤＭＵＸ２３に与える。
【００２７】
ＴＳＤＭＵＸ２３は入力されたトランスポートストリームを、映像データ及び音声データに分離する。これらの映像データ及び音声データは夫々ビデオデコーダ２８又はオーディオデコーダ２９に供給される。
【００２８】
ビデオデコーダ２８は、入力された映像データをデコードして、映像信号を映像処理部３０に出力する。映像処理部３０は入力された映像信号に対して、ＩＰ変換処理や画質調整処理等の各種映像処理を施した後、モニタ３１に出力する。こうして、モニタ３１の表示画面上において、入力されたストリームに基づくコンテンツが映出される。また、オーディオデコーダ２９は、入力された音声データをデコードして音声信号をアンプ３２に出力する。アンプ３２は入力された音声信号を増幅してスピーカ３３から音響出力させる。
【００２９】
ＣＰＵ２２が発生するコマンドとしては、例えば、ストリーム供給装置の電源をオンにさせるための起動コマンド、ストリーム供給装置の受信チャンネルを制御するためのコマンド（チャンネル選局要求）等がある。
【００３０】
更に、本実施の形態においては、ＣＰＵ２２は、ネットワーク上に接続された各ストリーム供給装置の状態を検出するための状態収集コマンド及び各ストリーム供給装置に対してストリームの転送を要求するストリーム転送要求を発生するようになっている。
【００３１】
ＣＰＵ２２は状態収集コマンドによって取得した各ストリーム供給装置の情報を不揮発性メモリ２７に記憶させる共に、記憶させた情報を用いて各種リストを生成して不揮発性メモリ２７に蓄積するようになっている。ユーザＩ／Ｆ部２４は、ＣＰＵ２２に制御されて、不揮発性メモリ２７に蓄積されたリストに基づくリスト表示（ユーザ操作画面）を図示しない表示画面上に表示させて、グラフィカルユーザインターフェース（ＧＵＩ）によって、ユーザの操作を受け付けるようになっている。また、ＣＰＵ２２は、不揮発性メモリ２７に蓄積されたリストに基づいて、自動的にストリーム供給装置に対してストリーム転送要求を発生することもできるようになっている。
【００３２】
なお、プログラムメモリ（Ｐメモリ）２５には、ＣＰＵ２２の処理を実現するためのプログラムが格納されている。
【００３３】
次にこのように構成された実施の形態の動作について図５のフローチャート及び図６乃至図９の説明図を参照して説明する。
【００３４】
いま、コンテンツ再生装置５２の電源を投入するものとする。図５のステップＳ１において、コンテンツ再生装置５２は、電源投入後にネットワーク上のストリーム供給装置の検索を行う。即ち、ＣＰＵ２２は、Ｐメモリ２５に記憶されたプログラムに従って動作して、状態収集コマンドを発生する。この状態収集コマンドは、ＬＡＮ制御部２１によってネットワーク上にブロードキャストで送出される。ネットワーク上の各ストリーム供給装置は、ＬＡＮ制御部１４を介して状態収集コマンドを受信する。各ストリーム供給装置のＣＰＵ１５は、受信した状態収集コマンドに対して応答を返す。ストリーム供給装置の電源がオフの場合等においては、ストリーム供給装置において状態収集コマンドの受信及び応答が不可能であり、コンテンツ再生装置５２のＣＰＵ２２は状態収集コマンドに対する応答によって、ネットワーク上のストリーム供給装置が電源オンであるか否かを判断する。
【００３５】
更に、各ストリーム供給装置のＣＰＵ１５は、状態収集コマンドを受領すると、機器情報メモリ１２の情報を読み出し、ＬＡＮ制御部１４を介してネットワーク上に送出する。この情報は、コンテンツ再生装置５２のＬＡＮ制御部２１によって受信される。ＣＰＵ２２は受信した各ストリーム供給装置からの情報を収集して、不揮発性メモリ２７に蓄積する（ステップＳ２）。次に、ＣＰＵ２２は収集した情報に基づいて各種リストを生成する（ステップＳ３）。
【００３６】
次に、ＣＰＵ２２は、ステップＳ４において、自動モードが設定されているか否かを判定する。自動モードが設定されている場合には、ＣＰＵ２２は、不揮発性メモリ２７等に格納されている優先動作の情報に従って動作する。
【００３７】
図６はこの優先動作の情報を示している。図６の例では、優先動作として４つの例、即ち、ステップＳ１の検索処理において最初に検出したストリーム供給装置からのストリームを受信すること、コンテンツ再生装置５２の電源オフ時において最後にストリームの供給を受けていたストリーム供給装置からのストリームを受信すること、コンテンツ再生装置５２の電源オフ時に受信していたチャンネル（ラストチャンネル）と同一チャンネルのストリームを出力可能なストリーム供給装置からのストリームを受信すること、ラストチャンネルと同一チャンネルのストリームを出力可能なストリーム供給装置のうち、最近にストリームの供給を受けていたストリーム供給装置からのストリームを受信することが登録されている。
【００３８】
そして、図６の例では、丸印によって、検索処理において最初に検出されたストリーム供給装置からストリームの供給を受ける動作が選択されていることを示している。従って、この場合には、ＣＰＵ２２は、ステップＳ１の検索結果によって示されるストリーム供給装置に対して、チャンネル選局要求及びストリーム転送要求を発生する。
【００３９】
例えば、最初に検出されたストリーム供給装置がストリーム供給装置４６であるものとする。この場合には、これらの要求は、ＬＡＮ制御部２１から無線通信路５４、中継装置５１及びケーブル５３を介してストリーム供給装置４６に供給される。ストリーム供給装置４６のＬＡＮ制御部１４は、ケーブル５３を介して伝送されたチャンネル選局要求を取り込んでＣＰＵ１５に出力する。これにより、ＣＰＵ１５は、Ｉ／Ｆ９を介してチューナ６を制御して、ユーザが指定したチャンネルを選局させる。チューナ６は指定されたチャンネルを選局して出力する。復調部７は復調処理によって指定されたコンテンツのトランスポートストリームを得る。このトランスポートストリームは、ＣＰＵ１５によって、メモリ１０に蓄積される。ＣＰＵ１５は、ストリーム転送要求に従って、メモリ１０から読み出したストリームをＬＡＮ制御部１４を介してコンテンツ再生装置５２に対して送出する。
【００４０】
コンテンツ再生装置５２はＬＡＮ制御部２１を介してコンテンツのストリームを取込み、メモリ２６に格納した後、ＴＳＤＭＵＸ２３にストリームを供給する。ＴＳＤＭＵＸ２３は、入力されたストリームから映像データ及び音声データを分離して、ビデオデコーダ２８及びオーディオデコーダ２９に出力する。ビデオデコーダ２８は入力された映像データをデコードし、オーディオデコーダ２９は入力された音声データをデコードする。
【００４１】
ビデオデコーダ２８からの映像信号はモニタ３１に供給され、オーディオデコーダ２９からの音声信号はアンプ３２を介してスピーカ３３に供給される。こうして、電源投入後において、選択された優先動作に従って、コンテンツの視聴が可能となる。
【００４２】
一方、ステップＳ４において、手動モードが設定されていると判定された場合には、ＣＰＵ２２は、処理をステップＳ６に移行して、不揮発性メモリ２７に記憶されたリストをユーザＩ／Ｆ部２４に与えて、リスト表示を生成させる。
【００４３】
図７はこのリスト表示の一例を示している。図７の例は、ネットワーク上において電源がオンの機器の名称、サービス、利用状況を示すものである。図７の例においては、ステップＳ１の検索処理により、ネットワークチューナＡである例えばストリーム供給装置４６、ＨＤＤレコーダＶである例えばストリーム供給装置４９及びデジタルテレビＲである例えばストリーム供給装置４８が検出されたことを示している。そして、例えば、ネットワークチューナＡ（ストリーム供給装置４６）は２系統の地上デジタル放送とＢＳ放送及びＣＳ放送のサービスを提供可能であり、現在１系統の地上デジタル放送を使用中であることを示している。即ち、ネットワークチューナＡについては、ストリームの更なる出力が可能であり、コンテンツ再生装置５２において、使用されていない１系統の地上デジタル放送、ＢＳ放送又はＣＳ放送の所定チャンネルを受信させて、ストリームの供給を受けることができることを示している。
【００４４】
また、リスト表示によって、ＨＤＤレコーダＶ（ストリーム供給装置４９）は、２系統の地上デジタル放送と２系統のＢＳ放送のサービスを提供可能であり、現在使用されていない状態、例えば待機状態であるか又は録画番組の再生が行われていることが示されている。また、デジタルテレビＲ（ストリーム供給装置４８）は、１系統の地上デジタル放送、ＢＳ放送及びＣＳ放送のサービスを提供可能であり、現在使用中であって、ストリームの供給を受けることができないことが示されている。
【００４５】
ユーザＩ／Ｆ部２４は、このリスト表示を表示画面上に表示させ、ユーザの操作を受け付ける。例えば、ユーザがＨＤＤレコーダＶを指定すると、ユーザＩ／Ｆ部２４はＨＤＤレコーダＶであるストリーム供給装置４９が選択されたことをＣＰＵ２２に知らせる。ＣＰＵ２２は、ストリーム供給装置４９に対して、ストリーム転送要求を発生する。これにより、コンテンツ再生装置５２は、ストリーム供給装置４９からのストリームを受信して、コンテンツの映出が可能である。
【００４６】
ところで、ネットワークに接続されたストリーム供給装置の電源がオフの場合等においては、上述したように、状態収集コマンドに対する応答はなく、このストリーム供給装置から機器の情報を取得することはできない。この場合でも、過去に当該ストリーム供給装置からの機器情報が不揮発性メモリ２７に記憶されていることが考えられる。そこで、ＣＰＵ２２は、電源投入時に機器の情報を取得することができないストリーム供給装置については、不揮発性メモリ２７に記憶されている過去の機器情報を読み出して、ユーザＩ／Ｆ部２４にリスト表示を作成させることもできる。
【００４７】
図８はこの場合のリスト表示の一例を示している。図８の例は、図７の例に対して、ネットワークチューナＢである例えばストリーム供給装置５０及びＣＳチューナＡであるストリーム供給装置４７の情報が付加されている。これらのストリーム供給装置４７，５０は、コンテンツ再生装置５２の電源投入時に、例えば電源がオフであったものであり、ユーザＩ／Ｆ部２４は、背景色や文字の濃さ等によって（図８では斜線）、現在利用可能なストリーム供給装置と区別させている。
【００４８】
更に、ユーザＩ／Ｆ部２４は、不揮発性メモリ２７に記憶されている機器情報に基づいて、図７及び図８と異なる他のリスト表示を生成することもできる。図９は他のリスト表示の一例であるサービス選択表示を示している。図９の表示は不揮発性メモリ２７からの機器情報に基づいて、利用可能なサービスについての表示を行ったものである。ユーザＩ／Ｆ部２４は、このリスト表示を表示画面上に表示させ、ユーザの操作を受け付ける。例えば、ユーザがＢＳを指定すると、ユーザＩ／Ｆ部２４はＣＰＵ２２にユーザがＢＳのサービス提供を希望していることを知らせる。
【００４９】
この場合には、ＣＰＵ２２は、ＢＳを利用可能なストリーム供給装置に対して、ストリーム転送要求を発生する。ＢＳを利用可能なストリーム供給装置が複数ある場合には、ＣＰＵ２２は例えば図６の優先動作の情報を利用することができる。ＣＰＵ２２は、ＢＳを利用可能なストリーム供給装置のうち、最初に検出したストリーム供給装置や電源オフ時のストリーム供給装置、或いは過去の使用頻度が高いストリーム供給装置等を、優先動作の情報に従って選択することができる。ＣＰＵ２２は選択したストリーム供給装置に対して、ストリーム転送要求を送出する。これにより、コンテンツ再生装置５２は、ユーザが指定したサービスに応じたストリームを受信して、コンテンツの映出が可能である。
【００５０】
このように本実施の形態においては、コンテンツ再生装置は、電源投入時において、ネットワーク上に接続されたストリーム供給装置の状態を収集し、そのリストを作成することができる。コンテンツ再生装置は、取得したリストに従って自動的にストリーム供給装置を選択してストリームの供給を受けることができ、電源投入直後において煩雑な操作を必要とすることなく放送サービスの視聴が可能である。更に、コンテンツ再生装置は、取得したリストに従ってユーザ操作画面となるリスト表示を表示させることができる。ユーザはネットワーク上の機器がどのようなサービスを提供可能であるか、また現在利用可能か否か等を事前に知る必要はなく、リスト表示によってこれらの情報を知ることができ、また、ＧＵＩ画面上でストリーム供給装置の選択操作ができるので、利便性に優れている。更に、リスト表示によって提供可能なサービスを提示することもでき、ユーザはストリーム供給装置を選択することなく、提供を受けたいサービスの選択のみによって簡単に放送サービスの視聴が可能であり、操作性に優れている。
【００５１】
なお、上記実施の形態においては、ストリーム供給装置の状態の収集は、コンテンツ再生装置の電源投入後のいずれのタイミングでもよいことは明らかである。また、リスト表示としてサービスの内容を表示した例を示したが、電源が投入されているストリーム供給装置のみをリスト表示させてもよい。
【００５２】
また、上記実施の形態においては、ＬＡＮ規格のネットワークの例を説明したが、ネットワーク方式は限定されるものではなく、例えば、無線ＬＡＮ、ＩＥＥＥ１３９４、電話線、電灯線、無線等のデジタルデータを伝送する各種ネットワークに適用可能である。
【図面の簡単な説明】
【００５３】
【図１】本発明の一実施の形態に係るストリーム供給装置及びコンテンツ再生装置が組込まれたコンテンツ再生システムを示すブロック図。
【図２】図３中のコンテンツ再生装置５２の具体的な構成を示すブロック図。
【図３】コンテンツ再生システムの全体構成を示す説明図。
【図４】機器情報メモリ１２に格納されている情報の一例を示す説明図。
【図５】実施の形態の動作を説明するためのフローチャート。
【図６】実施の形態の動作を説明するための説明図。
【図７】実施の形態の動作を説明するための説明図。
【図８】実施の形態の動作を説明するための説明図。
【図９】実施の形態の動作を説明するための説明図。
【符号の説明】
【００５４】
１２，２７…不揮発性メモリ、１４，２１…ＬＡＮ制御部、１５，２２…ＣＰＵ、２４…ユーザＩ／Ｆ部、２８…ビデオデコーダ、２９…オーディオデコーダ。
【図１】
2009124433.tif 000003
【図２】
2009124433.tif 000004
【図３】
2009124433.tif 000005
【図４】
2009124433.tif 000006
【図５】
2009124433.tif 000007
【図６】
2009124433.tif 000008
【図７】
2009124433.tif 000009
【図８】
2009124433.tif 000010
【図９】
2009124433.tif 000011